(57)【要約】【課題】  単一のトラフで物品を効率良くほぐすことができ、搬送方向を転換する際に物品を詰まらせることなく、物品を安定的に供給することができるフィーダ搬送装置を提供する。【解決手段】  トラフを振動させることにより物品を搬送するフィーダ搬送装置において、水平で振動方向に応じた方向（Ｘ）に物品を搬送する第一搬送部（３）と、第一搬送部（３）とは搬送方向が異なり、かつ、搬送方向（Ｙ）に傾斜する第二搬送部（４）と、段差をもって連結したトラフ（２）を備えたことを特徴とする。【選択図】図１
2006335481.tif 000002
【特許請求の範囲】
【請求項１】
トラフを振動させて物品を搬送するフィーダ搬送装置であって、
前記トラフは、その振動に応じた所定方向に物品を搬送する第一搬送部と、該第一搬送部の終端部に連結して設けられ、前記所定方向とは異なる方向に物品を搬送する第二搬送部と、を有し、
前記第一搬送部は、水平面を備えており、
前記第二搬送部は、物品の搬送方向に傾斜する傾斜面を備えており、
前記第一搬送部と前記第二搬送部との連結部には段差が設けられていることを特徴とするフィーダ搬送装置。
【請求項２】
請求項１に記載のフィーダ搬送装置であって、
前記第二搬送部は、その搬送方向に沿って幅が広がっていることを特徴とするフィーダ搬送装置。
【請求項３】
請求項１又は２に記載のフィーダ搬送装置であって、
前記第二搬送部の側壁が、前記第一搬送部の搬送方向に対して略直角に交差する垂直壁であることを特徴とすることを特徴とするフィーダ搬送装置。
【発明の詳細な説明】
【技術分野】
【０００１】
本発明は、トラフを振動させて物品を搬送するフィーダ搬送装置に関する。
【背景技術】
【０００２】
従来、トラフを振動させて物品を搬送するフィーダ搬送装置としては、特許文献１に示されるものがある。このフィーダ搬送装置は、第一振動駆動源Ｐにより物品を所定方向に搬送する第一トラフ１と、第一トラフ１の下流側に連結されて第二振動駆動源Ｑ，Ｒにより物品を前記所定方向とは反対方向に搬送する第二トラフ２と、第一トラフ１の下流側と第二トラフ２の上流側を連結するように設けられる物品ほぐし装置３と、を備えてなる。
【０００３】
物品ほぐし装置３は、第一トラフ１から搬送供給される物品を、横向きの円筒体３２ａ，３２ｂ内に受け入れて、円筒体の底面部に設けられる空気噴出口８から噴出する空気でほぐしながら、第二トラフ２に供給する。第二トラフ２は、内部に物品を一個ずつ整列させて次工程に搬送する整列台５を備えており、整列台５に入り切らなかった物品を第一トラフ１に向かう下向きの傾斜で誘導して、下流側の開口２２から第一トラフ１の上流側の開口１２へ循環させる。
【特許文献１】実開平６−８７３３０号公報
【発明の開示】
【発明が解決しようとする課題】
【０００４】
しかしながら、上記特許文献１に開示されるフィーダ搬送装置は、からみ合った物品をほぐすために噴出空気を使用するため、第一及び第二トラフ１，２を振動させる振動駆動源Ｐ，Ｑ，Ｒ以外に、コンプレッサ（空気供給源）を設置する必要がある。そのため、装置構造が複雑で、設置コスト及び運転コストが高くなるという問題点がある。また、第一トラフ１と第二トラフ２は、振動方向の異なる振動駆動源により駆動されるため、その点においても、装置構造の複雑化、設置コスト及び運転コストの上昇を招いていた。
【０００５】
また、第二トラフ２から第一トラフ１に向かう傾斜は、第二トラフ２の搬送方向と直交する方向に設けられているため、物品ほぐし装置３でほぐされた物品が、第一トラフに向う搬送路で片寄らされて再びからみ合うため、必ずしも運転効率が良いものではない。さらに、第二トラフ２の下流側の開口２２の手前には、斜め方向に延びて物品の搬送方向を第一トラフ１に向かうように誘導する誘導面２１が設けられているが、この誘導面２１によって搬送路が絞られるため、物品を詰まらせてしまう恐れがある。
【０００６】
そこで、本発明は、単一のトラフで物品を効率良くほぐすことができ、搬送方向を転換する際に物品を詰まらせることなく、物品を安定的に供給することができるフィーダ搬送装置を提供しようとするものである。
【課題を解決するための手段】
【０００７】
請求項１の発明は、トラフを振動させて物品を搬送するフィーダ搬送装置であって、前記トラフは、その振動に応じた所定方向に物品を搬送する第一搬送部と、該第一搬送部の終端部に連結して設けられ、前記所定方向とは異なる方向に物品を搬送する第二搬送部と、を有し、前記第一搬送部は、水平面を備えており、前記第二搬送部は、物品の搬送方向に傾斜する傾斜面を備えており、前記第一搬送部と前記第二搬送部との連結部には段差が設けられていることを特徴とするフィーダ搬送装置を提供する。
【０００８】
請求項２の発明は、請求項１に記載のフィーダ搬送装置であって、前記第二搬送部は、その搬送方向に沿って幅が広がっていることを特徴とするフィーダ搬送装置を提供する。
【０００９】
請求項３の発明は、請求項１又は２に記載のフィーダ搬送装置であって、前記第二搬送部の側壁が、前記第一搬送部の搬送方向に対して略直角に交差する垂直壁であることを特徴とするフィーダ搬送装置を提供する。
【発明の効果】
【００１０】
請求項１に記載のフィーダ搬送装置によれば、以下の優れた効果を奏し得る。水平で振動方向に応じた方向に物品を搬送する第一搬送部と、第一搬送部とは搬送方向が異なり、かつ、搬送方向に傾斜する第二搬送部とを連結することにより、単一のトラフで物品を効率良くほぐすことができる。また、第一搬送部と第二搬送部の連結部に設けた段差により、物品のほぐし効果をさらに高めることができる。なお、第一搬送部及び第二搬送部のいずれも搬送方向と交差する方向に傾斜するものではなく、搬送途中で物品が片寄って固まる不都合が防止される。
【００１１】
請求項２に記載のフィーダ搬送装置によれば、請求項１に記載のフィーダ搬送装置が奏する効果に加えて、以下の優れた効果を奏し得る。搬送方向に沿って幅が広げられているので、より効率的に物品をほぐすことができ、また、一度ほぐされた物品が再度固まってしまう不都合を確実に防止する。
【００１２】
請求項３に記載のフィーダ搬送装置によれば、請求項１又は２に記載のフィーダ搬送装置が奏する効果に加えて、以下の優れた効果を奏し得る。垂直壁が第一搬送部の搬送方向に略直角に設けられているので、第一搬送部から搬送される物品が垂直壁に当たって効率的にほぐされるものである。
【発明を実施するための最良の形態】
【００１３】
以下、本発明の実施の形態を、添付図面を参照しながら説明する。図１乃至図３は、本発明を実施する形態であるフィーダ搬送装置の一例を示す図である。図１は、フィーダ搬送装置１の正面図である。図２は、フィーダ搬送装置１に搭載されるトラフ２の平面図であり、図３は、トラフ２の斜視図である。
【００１４】
〔フィーダ搬送装置１の構成〕
本実施形態に係るフィーダ搬送装置１は、トラフ２を振動させることにより、トラフ２内に搬入されるスナック菓子やその原料となるナマ生地等の物品を、そのからみをほぐしながら、次工程へ向けて少しずつ切り出すように搬送する。トラフ２は、図１に示されるように、基台Ｂに設けられる振動駆動部Ｄで支持されており、その振動を利用して、始端部３ａ側に搬入された物品を矢印Ｘ方向に搬送する第一搬送部３と、第一搬送部３の終端部３ｂから排出される物品を受けて、矢印Ｘ方向と略直交する矢印Ｙ方向（図２及び図３）へ搬送する第二搬送部４と、を一体的に連結してなる。
【００１５】
第一搬送部３は、概ね矩形状に形成されて、その長手方向が矢印Ｘ方向となる水平面３１を備えてなる。水平面３１の両側部には、水平面３１に載置される物品が外側へこぼれないように堰き止める側壁部３２，３３が形成されている。
【００１６】
第二搬送部４は、概ね矩形状に形成されて、その長手方向が搬送方向へのみ傾斜する傾斜面４１を備えてなる。傾斜面４１は、その傾斜方向に延びる一側縁部４１ａが、第一搬送部３の終端部３ｂ、すなわち水平面３１の終端部３１ｂと段差をもって連結されている。傾斜方向は、より具体的には、傾斜面４１は、最上端となる縁部４１ｂが水平面３１と同じ高さに設定されており、そこから下方へ傾斜することにより、全体として水平面３１との間に線型的に変化する段差Δｈが生じている。また、傾斜面４１は、搬送方向に沿って、縁部４１ｂから最下端の縁部４１ｃへ向かうにつれて幅が広がっている。
【００１７】
傾斜面４１には、第一搬送部３と連結される側縁部４１ａと対向する側縁部４１ｄから略垂直方向に延びて、第一搬送部３の搬送方向に対して略直角に交差する側壁部４２が備えられている。側壁部４２は、第一搬送部３から第二搬送部４へ搬入される物品を堰き止めつつ物品のからみをほぐす。なお、側壁部４２は、その両端を側壁部３２，３３と連結することにより補強されているが、側壁部３３には、傾斜面４１上を搬送される物品の通路となる貫通穴３３ａが形成されている。
【００１８】
〔上記実施形態の作動〕
次に、上記実施形態の作動を説明する。まず、フィーダ搬送装置１のトラフ２に設けられる第一搬送部３の始端部３ａ付近に、スナック菓子等の物品をひとかたまりに投入すると、物品は、振動駆動部Ｄによる振動でほぐされながら、水平面３１上を矢印Ｘ方向に搬送される。第一搬送部３でほぐされた物品は、終端部３ｂから下方に設けられる傾斜面４１に落とされる。傾斜面４１は、矢印Ｙ方向に下方傾斜しているため、物品は振動を受けながら最下端の縁部４１ｃへ向けて搬送されることになる。
【００１９】
物品は、矢印Ｙ方向に向う搬送途上においても、振動の影響を受けることにより、矢印Ｘ方向、すなわち傾斜面４１の搬送方向と略直交する方向に広がるようにして、ほぐされる。また、物品は、矢印Ｘ方向の正面に設けられる側壁部４２に当たることがあるが、それによって更にほぐされる。
【００２０】
〔上記実施形態の特徴点〕
上記実施形態は、第一に、トラフ２が、その振動に応じた矢印Ｘ方向に物品を搬送する第一搬送部３と、第一搬送部３の終端部３ｂに連結して設けられ、矢印Ｘ方向と異なる矢印Ｙ方向に傾斜して物品を搬送する第二搬送部と、を有するという特徴点を有している。この特徴点により、第一搬送部３では搬送方向に、第二搬送部４では搬送方向と交差する方向に、物品を振動させることができ、これらの複合的なほぐし運動により、単一のトラフ、及び単一の振動駆動部（一方向の振動）でも、物品を効率的にほぐしながら搬送することができるものである。
【００２１】
第二に、第一搬送部３と第二搬送部４との連結部には、段差が設けられているという特徴点を有している。この特徴点により、物品が、第一搬送部３から第二搬送部４へ落下させられる際の衝撃を受けて、より効率的にほぐされるものである。
【００２２】
第三に、第一搬送部３は水平面であり、第二搬送部４は搬送方向へのみ傾斜するものであって、いずれも各々の搬送方向（矢印Ｘ方向及び矢印Ｙ方向）と交差する方向に傾斜させられるものではないため、搬送途中で物品が片寄って固まる不都合が防止されるものである。
【００２３】
第四に、第二搬送部４は、搬送方向（矢印Ｙ方向）に沿って、幅が広がっているという特徴点を有している。この特徴点により、一層効率的に物品をほぐすことができ、また、一度ほぐされた物品がからみ合って再度固まってしまうという不都合を確実に防止することができる。
【００２４】
第五に、第二搬送部４の側壁部４２が、第一搬送部３の搬送方向（矢印Ｘ方向）に対して略直角に交差する垂直壁であるという特徴点を有している。この特徴点により、第一搬送部３から搬送される物品が、第二搬送部４上で側壁部４２に当たって効率的にほぐされるものである。
【００２５】
本発明のフィーダ搬送装置は、上記した実施の形態に限定されるものではなく、本発明の要旨を逸脱しない範囲内において種々変更を加え得ることは勿論である。
【図面の簡単な説明】
【００２６】
【図１】本実施形態に係るフィーダ搬送装置の正面図。
【図２】本実施形態に係るフィーダ搬送装置に搭載されるトラフの平面図。
【図３】トラフの斜視図。
【符号の説明】
【００２７】
１    フィーダ搬送装置
２    トラフ
３    第一搬送部
３ｂ    終端部
４    第二搬送部
３１    水平面
４１    傾斜面
４２    側壁部（垂直壁）
Δｈ    段差
Ｄ    振動駆動部
Ｘ    第一搬送部による搬送方向
Ｙ    第二搬送部による搬送方向
【図１】
2006335481.tif 000003
【図２】
2006335481.tif 000004
【図３】
2006335481.tif 000005